(57)【要約】【課題】筋交いの構成できない薄壁や雑壁を、容易な施工で、耐力構造部として寄与させることができる木造建築用壁体の構造を提供する。【解決手段】下部横架材１１と、下部横架材１１に立設された柱に支持される上部横架材１３と、下部横架材１１と上部横架材１３との間に建て込まれる四角形の耐力板材１５と、垂直板部３１と水平板部３３とにより断面Ｌ字形状に形成され、水平板部３３に水平板丸穴と長穴とが交互に穿設されるとともに、垂直板部３１に複数の垂直板丸穴が穿設され、耐力板材１５の下縁と上縁を下部横架材１１と上部横架材１３に固定する少なくとも上下で２つの連結金物１７と、水平板丸穴により下部横架材１１及び上部横架材１３に縦方向に打ち込まれる縦ビス１９と、長穴により下部横架材１１及び上部横架材１３に打ち込まれる傾斜ビス２１と、垂直板丸穴により耐力板材１５に打ち込まれる横ビス２３と、を設けた。【選択図】  図４
2019039168.tif 000002
【特許請求の範囲】
【請求項１】
下部横架材と、
前記下部横架材に立設された柱に支持される上部横架材と、
前記下部横架材と前記上部横架材との間に建て込まれる四角形の耐力板材と、
前記耐力板材の幅方向に沿う長尺となって長手方向に直交する断面が垂直板部と水平板部とによりＬ字形状に形成され、前記水平板部には長手方向に沿って複数の水平板丸穴と長手方向に直交する方向に長い複数の長穴とが交互に穿設されるとともに、前記垂直板部には長手方向に沿って複数の垂直板丸穴が穿設され、前記耐力板材の下縁を前記下部横架材に固定し前記耐力板材の上縁を前記上部横架材に固定する少なくとも上下で２つの連結金物と、
前記水平板丸穴に挿通されて前記下部横架材及び前記上部横架材に縦方向に打ち込まれる縦ビスと、
前記長穴に挿通されて前記下部横架材及び前記上部横架材に傾斜して打ち込まれる傾斜ビスと、
前記垂直板丸穴に挿通されて前記耐力板材に横方向に打ち込まれる横ビスと、  
を具備することを特徴とする木造建築用壁体の構造。
【請求項２】
請求項１記載の木造建築用壁体の構造であって、
前記上下で２つの連結金物のうちそれぞれの前記水平板部が、前記耐力板材の下端面と前記下部横架材との間、前記耐力板材の上端面と前記上部横架材との間に配置されることを特徴とする木造建築用壁体の構造。
【請求項３】
請求項１または２に記載の木造建築用壁体の構造であって、
前記垂直板部には長手方向に沿って前記垂直板丸穴と交互に複数の四角形の逃げ穴が穿設され、
前記耐力板材の表面と裏面とに配置された表裏一対の前記連結金物は、一方の連結金物の垂直板丸穴に打ち込まれた横ビスが他方の連結金物の前記逃げ穴に配置されることを特徴とする木造建築用壁体の構造。
【請求項４】
請求項１〜３のいずれか１つに記載の木造建築用壁体の構造であって、
前記耐力板材と、前記上下で２つの連結金物とが、木造住宅の雑壁を構成することを特徴とする木造建築用壁体の構造。
【発明の詳細な説明】
【技術分野】
【０００１】
本発明は、木造建築用壁体の構造に関する。
【背景技術】
【０００２】
木造住宅において、耐震補強となる構造は、一般に筋交いを壁面の内部に構成している。筋交いは、柱と柱の間に、斜めに配置し、両端が各柱の上下端部と上下横架材との接合部分に連結され、壁材で隠される。この構造では、下部横架材と上部横架材の間で、左右一対の柱が矩形に枠組み構成されている部分において、筋交いが設けられて、いわゆる耐力壁となる。
【先行技術文献】
【特許文献】
【０００３】
【特許文献１】実用新案登録第３１２１３１９号公報
【特許文献２】特開平９−３１７００６号公報
【発明の概要】
【発明が解決しようとする課題】
【０００４】
しかしながら、従来の木造住宅において、せん断力を負担するための筋交いを構成する場合、左右両側には柱が必要であった。すなわち、耐震補強となる耐力壁では、左右一対の柱と、筋交いが必須であった。また、耐力壁は、壁面を構成するために少なくとも片面が、柱や筋交いを覆うように壁材で覆われる。そのため、厚み等の制約で筋交いを構成できない薄壁や雑壁は、耐震補強のための耐力構造部として寄与させることができなかった。また、仮に柱の増設が可能な構造部であっても、柱を増設し、筋交いを複数の金物を用いて建て込み、さらにこれらを壁材で覆う作業は、多くの工数を必要とした。
【０００５】
本発明は上記状況に鑑みてなされたもので、その目的は、筋交いの構成できない薄壁や雑壁を、容易な施工で、耐力構造部として寄与させることができる木造建築用壁体の構造を提供することにある。
【課題を解決するための手段】
【０００６】
次に、上記の課題を解決するための手段を、実施の形態に対応する図面を参照して説明する。
本発明の請求項１記載の木造建築用壁体の構造は、下部横架材１１と、
前記下部横架材１１に立設された柱２９に支持される上部横架材１３と、
前記下部横架材１１と前記上部横架材１３との間に建て込まれる四角形の耐力板材１５と、
前記耐力板材１５の幅方向に沿う長尺となって長手方向に直交する断面が垂直板部３１と水平板部３３とによりＬ字形状に形成され、前記水平板部３３には長手方向に沿って複数の水平板丸穴３５と長手方向に直交する方向に長い複数の長穴３７とが交互に穿設されるとともに、前記垂直板部３１には長手方向に沿って複数の垂直板丸穴３９が穿設され、前記耐力板材１５の下縁を前記下部横架材１１に固定し前記耐力板材１５の上縁を前記上部横架材１３に固定する少なくとも上下で２つの連結金物１７と、
前記水平板丸穴３５に挿通されて前記下部横架材１１及び前記上部横架材１３に縦方向に打ち込まれる縦ビス１９と、
前記長穴３７に挿通されて前記下部横架材１１及び前記上部横架材１３に傾斜して打ち込まれる傾斜ビス２１と、
前記垂直板丸穴３９に挿通されて前記耐力板材１５に横方向に打ち込まれる横ビス２３と、
を具備することを特徴とする。
【０００７】
この木造建築用壁体の構造では、耐力板材１５の下縁と上縁のそれぞれが、連結金物１７により下部横架材１１と上部横架材１３とに固定される。連結金物１７は、垂直板部３１と水平板部３３とにより断面Ｌ字形状に形成される。連結金物１７の水平板部３３は、下部横架材１１及び上部横架材１３に、複数の縦ビス１９と傾斜ビス２１とにより交互に固定される。この縦と傾斜の交互の固定により、上下横架材１１，１３に対して１つの方向からの固定にならず、上下横架材１１，１３の割れを防ぐ。また、連結金物１７の垂直板部３１は、長手方向に沿って複数の横ビス２３により耐力板材１５に固定される。これにより、四角形の耐力板材１５は、下縁と上縁が、下部横架材１１と上部横架材１３とに強固に固定される。耐力板材１５は、下部横架材１１と上部横架材１３において延在方向の相対的な変位により生じるせん断力を負担することができる。このせん断力は、柱幅の１／４〜１／２の厚さの耐力板材１５のみを用いることで、従来の柱間に筋交いを設けた耐力構造部と同等の大きさとなる。そのため、この木造建築用壁体の構造によれば、従来、耐力壁を構築できなかった薄壁や雑壁６５においても、耐力構造部を構築することが可能となる。また、木造建築用壁体の構造は、下部横架材１１と上部横架材１３の間に耐力板材１５を建て込み、連結金物１７で固定するのみであるので、新築のみならず、リフォームにおいても容易に施工が可能となる。
【０００８】
本発明の請求項２記載の木造建築用壁体の構造は、請求項１記載の木造建築用壁体の構造であって、
前記上下で２つの連結金物１７のうちそれぞれの前記水平板部３３が、前記耐力板材１５の下端面と前記下部横架材１１との間、前記耐力板材１５の上端面と前記上部横架材１３との間に配置されることを特徴とする。
【０００９】
この木造建築用壁体の構造では、連結金物１７は、水平板部３３が、耐力板材１５の下端面と下部横架材１１との間、或いは耐力板材１５の上端面と上部横架材１３との間に配置される。すなわち、断面Ｌ字形状の連結金物１７は、水平板部３３が、耐力板材１５の板厚内に納められ、耐力板材１５の表裏から突出しない。これにより、木造建築用壁体の構造は、水平板部３３を例えば引戸４９などの建具と干渉しない位置に納めることができ、引戸４９の収納部分における袖壁５１に適用が可能となる。
【００１０】
本発明の請求項３記載の木造建築用壁体の構造は、請求項１または２に記載の木造建築用壁体の構造であって、
前記垂直板部３１には長手方向に沿って前記垂直板丸穴３９と交互に複数の四角形の逃げ穴４１が穿設され、
前記耐力板材１５の表面と裏面とに配置された表裏一対の前記連結金物１７は、一方の連結金物１７の垂直板丸穴３９に打ち込まれた横ビス２３が他方の連結金物１７の前記逃げ穴４１に配置されることを特徴とする。
【００１１】
この木造建築用壁体の構造では、耐力板材１５の上縁または下縁において、耐力板材１５を表裏から挟む一対の連結金物１７が用いられる。ここで、表裏一方の連結金物１７の垂直板丸穴３９に打ち込まれた横ビス２３は、耐力板材１５を挟む表裏他方の連結金物１７の垂直板部３１に穿設された逃げ穴４１に先端が位置する。耐力板材１５の両面に連結金物１７を使用する場合、垂直板丸穴３９と逃げ穴４１とが交互にあることで、横ビス２３を両面から打つ際に、同じ位置に横ビス２３が打たれて衝突することにならず、互い違いに配置できる。
【００１２】
本発明の請求項４記載の木造建築用壁体の構造は、請求項１〜３のいずれか１つに記載の木造建築用壁体の構造であって、
前記耐力板材１５と、前記上下で２つの連結金物１７とが、木造住宅の雑壁６５を構成することを特徴とする。
【００１３】
この木造建築用壁体の構造では、例えば引戸の袖壁５１等の薄壁、柱２９が片側のみにしかない仕切壁６３、食器棚下地を兼用した雑壁６５、階段脇の雑壁６５、ユニットバス入り口の出入口側壁６７、物入れ内に露出した雑壁６５等の化粧的な部分においても、この耐力板材１５と連結金物１７を用いて耐力構造部を構築することができる。
【発明の効果】
【００１４】
本発明に係る請求項１記載の木造建築用壁体の構造によれば、柱の無い上下横架材間に、せん断力を負担できる耐力構造部を、筋交いを必要とせずに容易な施工で得ることができる。別言すると、柱の無い部分での上下横架材間に、せん断力を負担できる耐力構造部を構成でき、従来の耐力壁で必要な両側の柱を必要とせず、柱から離れた位置であってもせん断力に対する十分な耐力を備えた構造を得られる。
【００１５】
本発明に係る請求項２記載の木造建築用壁体の構造によれば、耐力板材の厚みの範囲内で構成でき、従来では困難であった薄壁に対して耐力構造を構築できる。
【００１６】
本発明に係る請求項３記載の木造建築用壁体の構造によれば、ビスを耐力板材の両面から打ち込む際に、ビス同士の干渉を容易に回避でき、施工性を高めることができる。
【００１７】
本発明に係る請求項４記載の木造建築用壁体の構造によれば、従来、困難であった薄壁構造の雑壁を耐力構造部として構築でき、木造住宅の耐震性を容易に且つ確実に高めることができる。
【図面の簡単な説明】
【００１８】
【図１】本発明の一実施形態に係る木造建築用壁体の構造を示す正面図である。
【図２】図１に示した連結金物を示し、（ａ）は平面図、（ｂ）は正面図、（ｃ）は底面図、（ｄ）は側面図である。
【図３】片面仕様の連結金物で耐力板材を下部横架材に固定する例を（ａ）、（ｂ）で示した手順説明図である。
【図４】両面仕様の連結金物で耐力板材の上縁と下縁を固定する例を（ａ）、（ｂ）で示した要部断面図である。
【図５】連結金物の使用例を（ａ）、（ｂ）、（ｃ）で示した要部断面図である。
【図６】両面仕様の連結金物で耐力板材を下部横架材に固定する例を（ａ）、（ｂ）、（ｃ）、（ｄ）で示した手順説明図である。
【図７】木造建築用壁体の構造を引戸に適用した例を示し、（ａ）は平面図、（ｂ）はＡ−Ａ断面図、（ｃ）はＢ−Ｂ断面図である。
【図８】木造建築用壁体の構造を間柱間に適用した例を示し、（ａ）は平面図、（ｂ）はＣ−Ｃ断面図、（ｃ）はＤ−Ｄ断面図である。
【図９】木造建築用壁体の構造が適用される耐力構造部の一例を示す間取り図である。
【発明を実施するための形態】
【００１９】
以下、本発明に係る実施形態を図面を参照して説明する。
図１は本発明の一実施形態に係る木造建築用壁体の構造を示す正面図である。
本実施形態に係る木造建築用壁体の構造は、下部横架材１１と、上部横架材１３と、耐力板材１５と、連結金物１７と、縦ビス１９と、傾斜ビス２１と、横ビス２３と、を主要な構成として有する。
【００２０】
木造建築用壁体の構造では、これら耐力板材１５、連結金物１７、縦ビス１９、傾斜ビス２１、横ビス２３により、下部横架材１１と上部横架材１３との間に壁体２５が構築される。
【００２１】
下部横架材１１は、木造住宅の例えば土台である。なお、木造建築用壁体の構造は、耐力板材１５の下縁を固定する連結金物１７が、床下地材２７を介して下部横架材１１に固定されてもよい。
【００２２】
上部横架材１３は、下部横架材１１に立設された柱２９（図７参照）に支持される。上部横架材１３は、木造住宅の例えば梁である。
【００２３】
耐力板材１５は、四角形の板材で、下部横架材１１と上部横架材１３との間に建て込まれる。耐力板材１５には、ＬＶＬとも称されるラミネイティッド・ベニア・ランバー（Laminated Veneer Lumber ）が好適に用いられる。ＬＶＬは、単板積層材を意味する。ＬＶＬは、丸太を切削し単板（厚さ２〜４mmの薄板：ベニヤ）にし、これを乾燥し、単板の繊維方向が平行となるようにして積層接着する。ＬＶＬは、単板の繊維方向が平行である点が、単板の繊維方向が交互に直交するように積層接着する合板と異なる。木造建築用壁体の構造では、このＬＶＬからなる耐力板材１５を、繊維方向が上下方向となる向きで用いられる。
【００２４】
図２は図１に示した連結金物１７を示し、（ａ）は平面図、（ｂ）は正面図、（ｃ）は底面図、（ｄ）は側面図である。
連結金物１７は、耐力板材１５の下縁を下部横架材１１に固定し、耐力板材１５の上縁を上部横架材１３に固定する。従って、連結金物１７は、少なくとも上下で２つのものが使用される。少なくとも上下で２つとは、耐力板材１５の表裏に連結金物１７が使用される場合には、上下で４つとなる意味である。
【００２５】
連結金物１７は、耐力板材１５の幅方向に沿う長尺となって形成される。連結金物１７は、長手方向に直交する断面が、垂直板部３１と水平板部３３とにより図２（ｄ）に示すＬ字形状に形成される。連結金物１７の水平板部３３には、図２（ａ）に示すように、長手方向に沿って複数の水平板丸穴３５と、長手方向に直交する方向に長い複数の長穴３７とが交互に穿設される。また、連結金物１７の垂直板部３１には、図２（ｂ）に示すように、長手方向に沿って複数の垂直板丸穴３９が穿設される。
【００２６】
縦ビス１９は、連結金物１７の水平板丸穴３５に挿通されて、下部横架材１１及び上部横架材１３に垂直縦方向に打ち込まれる。
【００２７】
傾斜ビス２１は、連結金物１７における水平板部３３の長穴３７に挿通されて、下部横架材１１及び上部横架材１３に所定の角度に傾斜して打ち込まれる。
【００２８】
横ビス２３は、垂直板丸穴３９に挿通されて、耐力板材１５に水平横方向に打ち込まれる。
【００２９】
また、連結金物１７の垂直板部３１には、長手方向に沿って上記の垂直板丸穴３９と交互に複数の四角形の逃げ穴４１が穿設される。図２（ｂ）では菱形の逃げ穴４１を示す。例えば、耐力板材１５の表面と裏面とに配置された表裏一対の連結金物１７は（図４参照）、一方の連結金物１７の垂直板丸穴３９に打ち込まれた横ビス２３が、他方の連結金物１７の逃げ穴４１に配置される。長手方向に交互に配置される垂直板丸穴３９と逃げ穴４１とは、上下方向に複数段で設けられてもよい。この場合、隣接する各段における垂直板丸穴３９と逃げ穴４１とは配列の位相が逆となる。つまり、垂直板丸穴３９と逃げ穴４１とは、千鳥配列となる。
【００３０】
なお、本実施形態の連結金物１７の水平板部３３は、２枚重ねで構成され、溶接部４３にて固定されている。
【００３１】
連結金物１７は、耐力板材１５に対して芯を合わせて（中心を合わせて）取り付けられる。このため、連結金物１７の垂直板部３１の上端縁部には、中央に切欠４５が形成されている。連結金物１７は、耐力板材１５に予め設けられる罫書き線に切欠４５を合わせることにより、芯を合わせて取り付けられるようになっている。
【００３２】
連結金物１７の垂直板部３１の中央には、中央四角穴４７が穿設される。この中央四角穴４７は、壁として建て込まれる際の間柱やパッキンなどが位置する（配置される）場合の逃げ、ビス打ちの逃げになっている。連結金物１７は、垂直板丸穴３９の全部に横ビス２３が打たれる。また水平板部３３においても全ての水平板丸穴３５と長穴３７に縦ビス１９と傾斜ビス２１が打たれる。これらのビス位置や数は、螺着締結固定による構造計算にも基づいて設定されている。
【００３３】
図３は片面仕様の連結金物１７で耐力板材１５を下部横架材１１に固定する例を（ａ）、（ｂ）で示した手順説明図である。
連結金物１７は、片面仕様と、両面仕様との二通りで使用することができる。片面仕様では、図３（ａ）に示すように、下部横架材１１の芯から所定の寸法を測り水平板部３３の位置を罫書く。下部横架材１１に連結金物１７の水平板部３３を載置する。水平板丸穴３５に縦ビス１９を垂直縦方向に打ちこむ。これと交互に、長穴３７に、傾斜ビス２１を斜めに打ちこむ。傾斜角度は、４５度が望ましい。同様に上部横架材１３にも連結金物１７を取り付ける。
【００３４】
次に耐力板材１５の芯出しが行われ、中央位置を罫書く。耐力板材１５を上記の固定された連結金物１７に位置合わせを行い、図３（ｂ）に示すように水平板部３３上に建て込む。位置合わせは、垂直板部３１の切欠４５に、耐力板材１５に罫書いた線を合わせる。次いで、垂直板丸穴３９に横ビス２３を打ち込む。同様に上部横架材１３に固定した連結金物１７の垂直板部３１も、耐力板材１５の上縁に取り付ける。片面仕様では、これにより、壁体２５の構築が完了する。
【００３５】
図４は両面仕様の連結金物１７で耐力板材１５の上縁と下縁を固定する例を（ａ）、（ｂ）で示した要部断面図である。
両面仕様では、図４（ａ）に示すように、耐力板材１５の上縁が、表裏一対の連結金物１７により挟持されて、上部横架材１３に固定される。図４（ｂ）に示すように、同様に、耐力板材１５の下縁も、表裏一対の連結金物１７により挟持されて、下部横架材１１に固定される。両面仕様では、垂直板部３１の逃げ穴４１に、反対側から打った横ビス２３が１ｍｍ程度飛び出る。
【００３６】
図５は連結金物１７の使用例を（ａ）、（ｂ）、（ｃ）で示した要部断面図である。
木造建築用壁体の構造では、連結金物１７を種々の位置で固定することができる。木造建築用壁体の構造は、図５（ａ）に示すように、耐力板材１５を、例えば下部横架材１１の芯の片側に、片面仕様で固定することができる。この例では、上下一対の連結金物１７のうちそれぞれの水平板部３３が、耐力板材１５の下端面と下部横架材１１との間、耐力板材１５の上端面と上部横架材１３との間に配置される。この片寄せ片面仕様は、後述する引戸４９（図７参照）の袖壁５１を構築する際等に好適となる。
【００３７】
また、木造建築用壁体の構造は、図５（ｂ）に示すように、耐力板材１５を、例えば下部横架材１１の芯に、片面仕様で固定することができる。この中央片面仕様は、大開口に耐力構造部を構築する際に好適となる。この場合、図５（ｃ）に示すように、耐力板材１５の表裏を一対の連結金物１７で固定した中央両面仕様としてもよく、建物の構造、建具などの造作に応じて組合せを可能としている。
【００３８】
図６は両面仕様の連結金物１７で耐力板材１５を下部横架材１１に固定する例を（ａ）、（ｂ）、（ｃ）、（ｄ）で示した手順説明図である。
中央両面仕様では、図６（ａ）に示すように、下部横架材１１の芯から所定の寸法を測り水平板部３３の位置を罫書く。下部横架材１１に連結金物１７の水平板部３３を載置する。水平板丸穴３５に縦ビス１９を縦に打ちこむ。これと交互に、長穴３７に、傾斜ビス２１を斜めに打ちこむ。同様に上部横架材１３にも連結金物１７を取り付ける。
【００３９】
次に耐力板材１５の芯出しが行われ、中央位置を罫書く。耐力板材１５を上記の固定された連結金物１７に位置合わせを行い、下部横架材１１上に建て込む。位置合わせは、垂直板部３１の切欠４５に、耐力板材１５に罫書いた線を合わせる。次いで、図６（ｂ）に示すように、垂直板丸穴３９に横ビス２３を打ち込む。このとき耐力板材１５の厚みが所定の寸法であれば下部横架材１１上に自立する。同様に上部横架材１３に固定した連結金物１７の垂直板部３１も、耐力板材１５の上縁に取り付ける。
【００４０】
次いで、図６（ｃ）に示すように、反対側に連結金物１７を配置し、この連結金物１７の水平板部３３に、縦ビス１９と傾斜ビス２１とを打ち込む。図６（ｄ）に示すように、垂直板丸穴３９に横ビス打ち込む。同様に上部横架材１３に固定した連結金物１７の垂直板部３１も、耐力板材１５の反対側の上縁に取り付ける。これにより、連結金物１７を両面仕様で用いた壁体２５の構築が完了する。
【００４１】
図７は木造建築用壁体の構造を引戸４９に適用した例を示し、（ａ）は平面図、（ｂ）はＡ−Ａ断面図、（ｃ）はＢ−Ｂ断面図である。
木造建築用壁体の構造は、引戸４９の袖壁５１に適用することができる。すなわち、図のような「薄壁」を耐力構造部として構築することが可能となる。
【００４２】
この例では、連結金物１７を上下で１つずつ使用する。連結金物１７は、上記した片寄せ片面仕様で用いる。上下一対の連結金物１７のうちそれぞれの水平板部３３は、耐力板材１５の下端面と下部横架材１１との間、耐力板材１５の上端面と上部横架材１３との間に配置される。すなわち、水平板部３３は、横架材１１，１３と耐力板材１５とに挟まれる状態となる。
【００４３】
床下地材２７の上面には、フローリング等の床仕上げ材５３が貼られる。また、耐力板材１５の表面には、石膏ボード等の壁仕上げ材５５が貼られる。
【００４４】
これにより、引戸４９の収納部分を構成でき、かつ、耐震補強が可能となる。従来では、このような引戸４９を配置する一対の柱２９，２９間においては、耐震構造を構築することが不可能であり、薄い板材を単に建て込むのみで、強度を得ることは出来ず、空間を区切るのみであった。木造建築用壁体の構造では、一側に柱２９が近接しているが、柱２９と耐力板材１５とは固定しない。上下の横架材１１，１３に対してのみ連結金物１７で連結固定させる。なお、ビス１９，２１の位置、角度については、横架材１１，１３に対して垂直方向と斜め方向の２種類を交互に打つ。これによって、下部横架材１１と上部横架材１３の割れを防ぐことができ、これは横架材に一列に同方向多数ビスを打ち込むと割れる虞があるためである。
【００４５】
図８は木造建築用壁体の構造を間柱間に適用した例を示し、（ａ）は平面図、（ｂ）はＣ−Ｃ断面図、（ｃ）はＤ−Ｄ断面図である。
また、木造建築用壁体の構造は、間柱と間柱の間に耐力構造部を構築することができる。
この場合、例えば間柱５７は、例えば３０ｍｍ×１０５ｍｍの断面寸法である。左右の間柱５７の間隔は、図示の例では芯間隔で９１０ｍｍである。従って、左右の間柱５７の対向面間の距離（間隔距離）は、８０５ｍｍになる。その中に幅長８００ｍｍの耐力板材１５を配置する。左右の間柱５７と耐力板材１５とは、接していても接していなくてもよい。但し、間柱５７と耐力板材１５とは固定しない。また、この例では、耐力板材１５の中央部分に、上下に延在するパッキン５９が、壁仕上げ材５５との間に設けられる。壁仕上げ材５５にはクロス材６１等が貼られる。
【００４６】
この木造建築用壁体の構造によれば、間柱５７と間柱５７との間に耐力構造部を構築することにより、通常では室内壁面を支えるのみで筋交い等の構造体（専用金物）を配設できない箇所においても、せん断変形を起こしにくくでき、耐震性の効果を得ることができる。
【００４７】
図９は木造建築用壁体の構造が適用される耐力構造部の一例を示す間取り図である。
木造建築用壁体の構造は、耐力板材１５と、少なくとも上下一対の連結金物１７とを用いて木造住宅の雑壁を、耐力構造部として構成することができる。この雑壁としては、例えば柱２９が片側のみにしかない仕切壁６３や、階段脇の雑壁６５、ユニットバスの出入口側壁６７等を挙げることができる。
【００４８】
また、木造建築用壁体の構造は、柱２９が近くにない開口部分に、窓と、壁となる耐力構造部と、を組み合わせて配置することもできる。この場合、採光や通風を可能としながら、耐力構造部を構築できる。
このように、木造建築用壁体の構造は、従来の耐力壁のような柱を必要とする箇所以外のどの部分においても、上下に横架材１１，１３があれば耐力板材１５を上下の連結金物１７で構築でき、せん断力を負担できる壁体を構成して耐震性の効果を得られる耐力構造部を構成できる。
【００４９】
次に、上記した構成の作用を説明する。
本実施形態に係る木造建築用壁体の構造では、下部横架材１１と上部横架材１３との間に、これら横架材１１，１３の長手方向を幅方向とする耐力板材１５が建て込まれる。この耐力板材１５は、下縁と上縁のそれぞれが、連結金物１７により下部横架材１１と上部横架材１３とに固定される。
【００５０】
連結金物１７は、耐力板材１５の幅方向に沿って略同一長で延在する長尺材となる。連結金物１７は、垂直板部３１と水平板部３３とにより断面Ｌ字形状に形成される。連結金物１７の水平板部３３は、下部横架材１１及び上部横架材１３に、複数の縦ビス１９と傾斜ビス２１とにより交互に固定される。また、連結金物１７の垂直板部３１は、長手方向に沿って複数の横ビス２３により耐力板材１５に固定される。これにより、四角形の耐力板材１５は、下縁と上縁が、下部横架材１１と上部横架材１３とに強固に連結固定される。
【００５１】
下縁及び上縁が、下部横架材１１と上部横架材１３とに一体的に固定された耐力板材１５は、下部横架材１１と上部横架材１３において延在方向の相対的な変位により生じるせん断力を負担することができる。
【００５２】
負担可能となるこのせん断力は、柱幅（耐力板材１５の板厚方向と同方向の柱２９の寸法）の１／４〜１／２の厚さの耐力板材１５を用いることで、従来の柱間に筋交いを設けた耐力構造部、所謂耐力壁と同等の大きさとなる。すなわち、耐力板材１５は、柱２９、下部横架材１１及び上部横架材１３の幅長以下の厚さで構成できる。
【００５３】
そのため、この木造建築用壁体の構造では、従来、耐力壁を構築できなかった薄壁や雑壁となる室内仕切り部分においても、耐力構造部を構築することが可能となる。
【００５４】
また、木造建築用壁体の構造は、建物自体に対する大幅な加工が発生しない。そのため、下部横架材１１と上部横架材１３の間に耐力板材１５を建て込み、連結金物１７で固定するのみであるので、新築のみならず、リフォームにおいても容易に施工が可能となる。
【００５５】
地震などの外力を受けた際には、上下の横架材１１，１３間で、横架材１１，１３の長手方向に沿う方向において、耐力板材１５が存在していること、耐力板材１５の上下両縁が固定されていることで、両横架材１１，１３間のせん断変形が起きない。これは、耐力板材１５のある部分の横架材１１，１３間が、固定された耐力板材１５によって一枚板状になり、一般的な耐力壁と同等の構造体となるためである。
【００５６】
なお、通常の耐力壁は、左右両側に柱を有していることで、せん断力（横方向）と軸力（縦方向）を負担している。柱間の距離が大きいなど耐力壁を構成させることができない部分などの上下横架材間に、本発明の構造を構成させることで、せん断変形の起きにくい構造部分を容易に構築できる。例えば、壁一面に窓などの大きな開口部分を作る場合に、上下横架材と左右柱間は大きな空間となってしまうが、柱２９の位置に関係なく上下横架材１１，１３間の所望の位置に耐力板材１５を固定させることで耐力構造部を構成できる。
【００５７】
また、引戸４９の配置される箇所においても、通常では薄壁や袖壁５１を建て付けるのみであるが、その袖壁５１を本発明の耐力板材１５を用いた壁体２５に置き換えることができ、厚さ寸法を大きく採れない部分においても補強構造が容易に得られることとなる。
【００５８】
また、木造建築用壁体の構造では、連結金物１７は、水平板部３３が、耐力板材１５の下端面と下部横架材１１との間、或いは耐力板材１５の上端面と上部横架材１３との間に配置することができる。すなわち、断面Ｌ字形状の連結金物１７は、水平板部３３が、耐力板材１５の板厚内に納められ、耐力板材１５の表裏から突出しない。これにより、木造建築用壁体の構造は、水平板部３３を例えば引戸４９と干渉しない位置に納めることができ、引戸４９の収納部分における袖壁５１に適用が可能となる。その結果、耐力板材１５の厚みの範囲内で構成でき、従来では困難であった薄壁に対して耐力構造を構築することができる。
【００５９】
さらに、この木造建築用壁体の構造では、耐力板材１５の上縁または下縁において、耐力板材１５を表裏から挟む一対の連結金物１７が用いられる。ここで、一方の連結金物１７の垂直板丸穴３９に打ち込まれた横ビス２３は、耐力板材１５を挟む他方の連結金物１７の垂直板部３１に穿設された逃げ穴４１に先端が通される。耐力板材１５の両面に連結金物１７を使用する場合、垂直板丸穴３９と逃げ穴４１とが交互にあることで、横ビス２３を両面から打つ際に、同じ位置にならず、互い違いに配置できる。その結果、ビスを耐力板材１５の両面から打ち込む際に、ビス同士の干渉を容易に回避でき、施工性を高めることができる。
【００６０】
また、この木造建築用壁体の構造では、引き戸の袖壁５１等の薄壁、食器棚下地を兼用した雑壁６８、ユニットバス入り口の袖壁６７、物入れ内に露出した雑壁６９等の化粧的な部分においても、この耐力板材１５と連結金物１７を用いて耐力構造部を構築することができる。その結果、従来、困難であった薄壁構造の雑壁６５を耐力構造部として構築でき、木造住宅の耐震性を容易に且つ確実に高めることができる。
【００６１】
従って、本実施形態に係る木造建築用壁体の構造によれば、せん断力を負担できる耐力構造部を、柱、筋交いを必要とせずに容易な施工で得ることができる。
【実施例１】
【００６２】
実施の形態で説明した構成と同様の壁体を、耐力板材１５と連結金物１７とを用い図１に示すように構築し、せん断力を試験した結果を説明する。
壁体２５は、幅８００ｍｍ、厚さ３８ｍｍの柱がない耐力板材１５により構成した。
耐力板材１５の高さ寸法は、横架材間距離−（床合板（床下地材２７）厚＋上下連結金物厚２０ｍｍ）とし、２３００〜３０００ｍｍの範囲とした。
耐力板材１５は、すぎなどを素材とする単板積層材（ＬＶＬ）を用いた。
通り心から４５５ｍｍの位置が、幅８００ｍｍの耐力板材の心位置となる。
上下２個の連結金物１７にて、耐力板材１５の側面と上下の横架材１１，１３をビス１９，２１，２３にて固定した。
上部横架材１１（梁），下部横架材１３（土台）の幅長は１０５ｍｍ、床合板（床下地材２７）の厚さは２８ｍｍである。
【００６３】
連結金物１７は、床合板（床下地材２７）−上部横架材１３間にて、耐力板材１５の上下をそれぞれ計２個の連結金物１７を内使い（片寄せ片面仕様）（図３，図５（ａ）参照）で取り付けた。
連結金物１７は、厚さ２．３ｍｍの亜鉛メッキ鋼板よりなり、幅（長手方向の長さ）８００ｍｍ，高さ（垂直板部３１の高さ）１５２．３ｍｍ，厚み（水平板部３３の幅長）３１．５ｍｍのＬ型の形状である。
隣接する柱とは直接固定せず、隣接する柱とは２．５ｍｍのクリアランスが生じた。
連結金物１７一個当たりのビスは、耐力板材１５に打ち込む横ビス２３を４５ｍｍビスとして３１本、横架材に打ち込む各ビスを１２０ｍｍビスとして垂直打ちとなる縦ビス１９を１３本，斜め打ちとなる傾斜ビスを１２本使用し、各ビスは炭素鋼を材質とする木ネジとした。なお、これらビスは、横ビス２３である４５ｍｍビスがネジ部４３ｍｍ、縦ビス１９，傾斜ビス２１である１２０ｍｍビスがネジ部１２０ｍｍである。ここで１２０ｍｍビスを用いるのは、下部横架材１１である土台側に床下地材２７が介設されることによる。上部横架材１３に対しては、１００ｍｍビスの縦ビス１９，傾斜ビス２１を用いても良く、これはネジ部が１００ｍｍとされる。
【００６４】
木造建築用壁体の構造により構築した壁体の短期許容せん断耐力と換算壁倍率の運用を下表１に示す。
【００６５】
【表１】
2019039168.tif 000003
【００６６】
表中の実施例１は、上記した連結金物１７を片面にのみ使用した結果であり、実施例２は連結金物１７を耐力板材１５の両面に使用したもの（図４参照）である。
壁体は、連結金物の片側仕様と両側仕様でせん断耐力が異なった。
なお、比較例は、４５ｍｍ×９０ｍｍのたすき筋交い耐力壁、すなわち左右に柱を必須とする一般的な耐力壁とした。
【００６７】
表１から分かるように、運用するせん断耐力は、連結金物１７の片側仕様で、たすき筋交いの耐力壁と同等の壁倍率となり、すなわち耐力壁に相当する耐力を備える壁体となり、また、連結金物の両側仕様では、たすき筋交いの耐力壁の１．５倍の壁倍率となることが知見できた。
【符号の説明】
【００６８】
１１…下部横架材
１３…上部横架材
１５…耐力板材
１７…連結金物
１７…連結金物
１９…縦ビス
２１…傾斜ビス
２３…横ビス
２９…柱
３１…垂直板部
３３…水平板部
３５…水平板丸穴
３７…長穴
３９…垂直板丸穴
４１…逃げ穴
６５…雑壁
【図１】
2019039168.tif 000004
【図２】
2019039168.tif 000005
【図３】
2019039168.tif 000006
【図４】
2019039168.tif 000007
【図５】
2019039168.tif 000008
【図６】
2019039168.tif 000009
【図７】
2019039168.tif 000010
【図８】
2019039168.tif 000011
【図９】
2019039168.tif 000012